(57)【要約】      （修正有）【課題】培養土が充填された状態で輸送及び貯蔵を可能とした上で、場所を取らずに且つ安定して設置でき、さらに栽培物の種類に応じた培養土の選択が不要であると共に、そのまま栽培容器として使用することができる栽培用の植裁袋を提供する。【解決手段】食物繊維で編成される植裁袋本体１１と、防水性を有する中袋２０と、ヤシ殻砕片を主とする培養土３０と、で構成される植裁袋１０であって、植裁袋本体１１は、開口縁部１１ａ内側の所定箇所に少なくとも一以上の支柱通し開口帯１２を縫設して成り、中袋２０は、植裁袋本体１１内に内装されて開口部２１が植裁袋本体１１の開口縁部１１ａに接合されて成り、培養土３０は、中袋２０内に任意の土容量を有して充填される手段を採る。【選択図】図１
0003209804.tif 000002
【実用新案登録請求の範囲】
【請求項１】
食物繊維で編成される植裁袋本体と、防水性を有する中袋と、ヤシ殻砕片を主とする培養土と、で構成される植裁袋であって、
前記植裁袋本体は、開口縁部内側の所定箇所に少なくとも一以上の支柱通し開口帯を縫設して成り、
前記中袋は、前記植裁袋本体内に内装されて開口部が前記植裁袋本体の開口縁部に接合されて成り、
前記培養土は、前記中袋内に任意の土容量を有して充填されて成り、
販売・移動時においては、前記培養土が前記植裁袋本体と前記中袋によって密封梱包され、育成栽培時においては、前記植裁袋本体の支柱通し開口帯に支柱を通すと共に、前記培養土に水分を含有させて栽培物を育成することを特徴とする植裁袋。
【請求項２】
前記植裁袋本体における開口縁部の所定箇所に、手提げ部が形成されていることを特徴とする請求項1記載の植裁袋。
【請求項３】
前記培養土が、販売・移動時において圧縮された状態で密封梱包されると共に、育成栽培時において水分を含有させることで膨張して圧縮状態が戻されることを特徴とする請求項1または請求項２記載の植裁袋。
【請求項４】
前記培養土に、木材粉末、木材チップ、腐葉土、肥料の中から選択される何れか一つが混合されていることを特徴とする請求項1から請求項３の何れか記載の植裁袋。
【考案の詳細な説明】
【技術分野】
【０００１】
本発明は、培養土が充填された状態で輸送及び貯蔵を可能とした上で、場所を取らずに且つ安定して設置でき、さらに栽培物の種類に応じた培養土の選択が不要であると共に、そのまま栽培容器として使用することができる栽培用の植裁袋に関する。
【背景技術】
【０００２】
近年においては、マンションのベランダや屋上等の僅かな居住空間を利用したプランター菜園が広く普及してきていると同時に、培養土が充填された袋をそのまま栽培容器として使用し、トマトやキュウリ等の野菜を園芸栽培する袋栽培法が種々提案されてきている。この種の袋栽培における栽培法は、培養土をプラスチック製等のプランターに植え替える手間を省いたり、廃棄ゴミを減らすことができたり、袋の開口部を持って容易に移動できることから、連作障害を回避することができるなどの多くの利点を有して提供されている。
【０００３】
上記における袋栽培の具体的な栽培法の実例として、特許文献１では、培養土が充填された栽培用袋の周面の一部に野菜の苗を植栽可能な切り込みを設け、当該切り込みを上方に向けて、他の周面が底面となるように栽培用袋を横倒しに設置した状態で、１つのプランターとして用いることができる提案がなされている。
【０００４】
また、特許文献２では、培養土が充填された栽培用袋の高さ方向一端部を開口し、当該開口部を上方に向けて、高さ方向他端部が底面となるように栽培用袋を立てて設置した状態で、１つのプランターとして用いることができる提案がなされている。
【０００５】
また、本出願人がかつて提案した特許文献３においては、培養土が充填された状態で輸送及び貯蔵可能とし、且つ、そのまま栽培容器となる袋を支持具で支持して使用する提案がなされている。
【０００６】
しかしながら、上述した特許文献１においては、栽培用袋を横倒しで設置するため、栽培用袋を立てて設置する場合と比べて、安定して設置できるものの、広い設置スペースが必要であるという不具合や、培養土の深さが浅すぎるため、栽培できる野菜の種類に限りがあるという不具合があった。
【０００７】
一方、特許文献２においては、栽培用袋を立てて設置するため、栽培用袋を横倒しで設置する場合と比べて、広い設置スペースは必要ないが、安定して支持することが難しいという不具合や、培養土の深さが深すぎて、それほど根が張らない野菜を栽培するには適さないという不具合があった。
【０００８】
他方、特許文献３においては、設置ならびに輸送時おいて、植裁袋を支持する別個の支持具を必要とするもので、該支持具の購入コストが嵩むと共に、支持具自体の収納性ならびに取り扱いに問題があるものであった。
【０００９】
本出願人は、以上のような従来から提案されている袋栽培における問題点、すなわち広い設置スペースが必要とすることや、安定して設置できないことや、容易に輸送及び貯蔵ができないといった点に着目し、簡易且つコンパクトな構造によって上記問題を解決することができないものかという着想の下、培養土が充填された状態で輸送及び貯蔵を可能とした上で、場所を取らずに且つ安定して設置でき、さらに栽培物の種類に応じた培養土の選択が不要であると共に、そのまま栽培容器として使用することができる栽培用の植裁袋を開発し、本考案における「植裁袋」の提案に至るものである。
【先行技術文献】
【特許文献】
【００１０】
【特許文献１】特開平１０−２３８３４号公報
【特許文献２】特開２００１−１５７５１７号公報
【特許文献３】特開２００９−２８４９１０号公報
【考案の概要】
【考案が解決しようとする課題】
【００１１】
本考案は、上記事情に鑑みてなされたものであり、培養土が充填された状態で輸送及び貯蔵を可能とした上で、場所を取らずに且つ安定して設置でき、さらに栽培物の種類に応じた培養土の選択が不要であると共に、そのまま栽培容器として使用することができる栽培用の植裁袋を提供することを課題とするものである。
【課題を解決するための手段】
【００１２】
上記課題を解決するため、本考案は、食物繊維で編成される植裁袋本体と、防水性を有する中袋と、ヤシ殻砕片を主とする培養土と、で構成される植裁袋であって、前記植裁袋本体は、開口縁部内側の所定箇所に少なくとも一以上の支柱通し開口帯を縫設して成り、前記中袋は、前記植裁袋本体内に内装されて開口部が前記植裁袋本体の開口縁部に接合されて成り、前記培養土は、前記中袋内に任意の土容量を有して充填されて成り、販売・移動時においては、前記培養土が前記植裁袋本体と前記中袋によって密封梱包され、育成栽培時においては、前記植裁袋本体の支柱通し開口帯に支柱を通すと共に、前記培養土に水分を含有させて栽培物を育成する手段を採る。
【００１３】
また、本考案は、前記植裁袋本体における開口縁部の所定箇所に、手提げ部が形成されている手段を採る。
【００１４】
さらに、本考案は、前記培養土が、販売・移動時において圧縮された状態で密封梱包されると共に、育成栽培時において水分を含有させることで膨張して圧縮状態が戻される手段を採る。
【００１５】
またさらに、本考案は、前記培養土に、木材粉末、木材チップ、腐葉土、肥料の中から選択される何れか一つが混合されている手段を採る。
【考案の効果】
【００１６】
本考案にかかる植栽袋によれば、場所を取らずに且つ安定して設置することができると共に、販売・移動が容易で栽培時もそのまま栽培容器として使用でき、さらに農耕地の地中に直接、直植えすることもできる、といった優れた効果を奏する。
【００１７】
また、本考案にかかる植栽袋によれば、植え直す手間を省いたり、廃棄ゴミを減らすことができたり、袋の開口部を持って容易に移動できることから、直植えの連作障害を回避することができる、といった優れた効果を奏する。
【００１８】
さらに、本考案にかかる植栽袋によれば、植裁袋本体における開口縁部の所定箇所に手提げ部が設けられていることによって、植栽袋の運搬・移動が容易である、といった優れた効果を奏する。
【００１９】
またさらに、本考案にかかる植栽袋によれば、培養土が、販売・移動時において圧縮された状態で密封梱包されると共に、育成栽培時において水分を含有させることで膨張して圧縮状態が戻されることによって、販売・移動時における省スペース化ならびに輸送費のコストダウンが図られると共に、栽培時における培養土の確保ならびに養生が容易にできる、といった優れた効果を奏する。
【００２０】
さらにまた、本考案にかかる植栽袋によれば、培養土に、木材粉末、木材チップ、腐葉土、肥料の中から選択される何れか一つが混合されていることによって、栽培物の種類に応じた培養土が充填された植栽袋を選択すれば足り、土作り・養生作業が不要になる、といった優れた効果を奏する。
【００２１】
そしてまた、本考案にかかる植栽袋によれば、二重底の植裁袋支持受け皿を使用することによって、植裁袋本体内に必要以上の水が溜まらず、植裁袋支持受け皿の下面の底部に排水されるため、根腐れ等の不具合が生じ難くなる、といった優れた効果を奏する。
【００２２】
さらにまた、本考案にかかる植栽袋によれば、植栽袋の開口縁部に支柱挿入用の支柱通し開口帯を設けたことにより、野菜の茎や蔓を巻き付ける支柱を安定して固定することができるため、トマト、ナス、キュウリ、ピーマン、さやエンドウ豆等の茎や蔓が伸びる野菜の栽培を効率よく行うことができる、といった優れた効果を奏する。
【図面の簡単な説明】
【００２３】
【図１】本考案にかかる植栽袋の実施形態を示す全体図である。（実施例１）
【図２】本考案にかかる植栽袋の使用状態を示す断面説明図である。
【図３】本考案にかかる植栽袋の別の実施形態を示す全体図である。（実施例２）
【図４】本考案にかかる植栽袋の設置手順を示す説明図である。
【考案を実施するための形態】
【００２４】
本考案にかかる植栽袋１０は、培養土３０が充填された状態で輸送及び貯蔵を可能とした上で、場所を取らずに且つ安定して設置でき、さらに栽培物の種類に応じた培養土３０の選択が不要であると共に、そのまま栽培容器として使用することができる手段を採ったことを最大の特徴とする。
以下、本考案にかかる植栽袋１０の実施形態を、図面に基づいて説明する。
【００２５】
尚、本考案にかかる植栽袋１０は、以下に述べる実施例に限定されるものではなく、本考案の技術的思想の範囲内、すなわち同一の作用効果を発揮できる形状や寸法等の範囲内で、適宜変更することができる。
【実施例１】
【００２６】
図1は、本考案にかかる植栽袋１０の実施形態を示しており、（ａ）は分解斜視図、（ｂ）は使用状態図である。
本実施形態にかかる植栽袋１０は、食物繊維で編成される植裁袋本体１１と、防水性を有する中袋２０と、ヤシ殻砕片を主とする培養土３０と、で構成されている。
【００２７】
植裁袋本体１１は、開口縁部１１a内側の所定箇所に少なくとも一以上、好ましくは複数の支柱通し開口帯１２が縫設されている。該植裁袋本体１１の素材については、特に限定するものではないが、例えばヤシ殻砕片や麻を主とする植物性繊維や、紙、各種繊維の織布、不織布、生体分解性フィルム、プラスチックフィルム、及びこれらの複合体を用いて編成することが考えられ、これら素材の選択によって生分解性と耐久性と装飾性とを備える栽培容器とすることができる。
【００２８】
支柱通し開口帯１２は、植裁袋本体１１の開口縁部１１a内側の所定箇所に縫設されるもので、少なくとも一以上、好ましくは複数の支柱通し開口帯１２が一の植裁袋本体１１の開口縁部１１a内側に縫設される。該支柱通し開口帯１２の素材については、特に限定するものではないが、例えば植裁袋本体１１と同素材とする態様が考え得る。かかる支柱通し開口帯１２が備わることで、そこへ必要に応じて支柱１３を通すことにより、該支柱１３を安定的且つ容易に立設することが可能となる。尚、複数の支柱１３を立設した場合に、該支柱１３同士を園芸用支柱パイプや針金で連結固定したり、周囲に栽培用ネットを張ることも可能であり、茎や蔓の発育に伴う成長誘引が効率よくできるものとなる。
【００２９】
中袋２０は、植裁袋本体１１内に内装されて開口部２１が植裁袋本体１１の開口縁部１１aに接合されて成る。該中袋２０の素材については、特に限定するものではないが、好ましくは植物由来ならびに石油由来の生分解性プラスチック等を使用し、これにより使用済み後に農耕地の土中にそのまま廃棄しても環境保全を図ることができる。尚、焼却して環境保全が図られる環境下であれば、ポリオレフィン系フィルムを素材として使用することもできる。
【００３０】
培養土３０は、ヤシ殻砕片を主とするもので、中袋２０内に任意の土容量を有して充填されている。ヤシ殻砕片とは、ココヤシの果実（ココナッツ）の殻と外皮を原料として作られたものの総称で、殻を細かく裁断あるいは破砕したチップ片や外皮から取り出した繊維などが含まれ、かかるチップ片や繊維などを単独若しくは適宜混合して用いられる。このとき、ヤシ殻砕片のほか、木材粉末や木材チップ、腐葉土、肥料などを適宜混合して培養土３０とする態様も考えられ、栽培物Ｓの種類に合わせて任意の量が中袋２０に充填される。このように、栽培物Ｓの種類に合わせた培養土３０を予め中袋２０に充填させることによって、栽培時の培養土３０の選択ならびに養生作業の手間を大幅に省略することができる。
【００３１】
ところで、以上の構成から成る植裁袋１０の使用に際しては、必要に応じて植裁袋本体１１の外側から中袋２０を貫通する様に水抜き穴２２を形成して用いられる。かかる水抜き穴２２は、栽培者（購入者）によって形成するもので、千枚通しや釘などの先の尖った工具などを使用して、植裁袋１０の側面下方位置や底面、あるいは側面と底面との境界付近に、栽培物Ｓの水やり量に合わせて適宜の数の水抜き穴２２が開けられる。
尚、該水抜き穴２２の形成位置について、植裁袋１０の底面に形成した場合に、接地により水抜き機能が上手く働かない場合が考え得る。したがって、該水抜き穴２２は、植裁袋１０の側面下方位置あるいは側面と底面との境界付近に形成することが好ましい。
このとき、植裁袋本体１１における水抜き穴２２を形成すべき箇所に、予め一乃至複数の開口を形成しておく態様が考え得る。かかる態様を採用することにより、栽培者（購入者）は、植裁袋本体１１に形成された開口を介して中袋２０にのみ水抜き穴２２を形成すれば足り、作業手間の省力化・簡略化が図られる。
【００３２】
以上で構成される本実施形態にかかる植裁袋１０は、培養土３０が充填された状態で輸送及び貯蔵を可能とした上で、場所を取らずに且つ安定して設置でき、さらに栽培物Ｓの種類に応じた培養土３０の選択が不要であると共に、そのまま栽培容器として使用することができる栽培用の植裁袋１０の提供を可能とする。
【００３３】
図２は、本考案（本実施形態）にかかる植栽袋における使用状態を示す断面説明図であり、（ａ）は植栽袋１０を室内の床面Ｆに設置した状態を示している。
室内の床面Ｆに例えば植裁袋支持受け皿４０を配置し、その上に植裁袋本体１１と、中袋２０と、培養土３０と、で構成される本実施形態の植裁袋１０を植裁袋支持受け皿４０の上に載置して室内園芸用のプランターとして利用するもので、土作りや、肥料やりなどの養生作業の手間を大幅に省略することができると共に、植裁袋１０がプランターの替わりとなることで、人工的でない自然的な雰囲気を醸し出すことができる。
【００３４】
図２（ｂ）は、本考案（本実施形態）にかかる植栽袋１０を農耕地の地中Ｇに直植した状態を示している。
植裁袋本体１１と、中袋２０と、培養土３０と、で構成される本実施形態の植裁袋１０の開口縁部１１aを持って農耕地の地中Ｇに直植えすることができるもので、植裁袋本体１１と、中袋２０と、培養土３０が土中Ｇで成分分解され、そのまま農耕地の肥料となり、土作りや、肥料やりなどの養生作業の手間を大幅に省略することができる。
【００３５】
尚、図２に示す以外に、植裁袋本体１１と、中袋２０と、培養土３０と、で構成される本実施形態の植裁袋１０の開口縁部１１aを持って、ベランダや庭先等にそのまま安置して使用することも可能である。
【実施例２】
【００３６】
図３は、本考案にかかる植栽袋１０の別の実施形態を示す全体図である。
本実施形態にかかる植栽袋１０は、植裁袋本体１１の開口縁部１１ａの所定箇所に手提げ部１４を形成して提供される。
【００３７】
手提げ部１４は、植裁袋本体１１の開口縁部１１aの所定箇所に折り畳まれてループ状に設けられるもので、形状ならびに素材は、特に限定されるものではないが、製造面ならびに環境保護面から植栽袋１０の素材と同様であることが望ましい。
【００３８】
以上で構成される本実施形態にかかる植裁袋１０は、培養土３０が充填された状態で輸送及び貯蔵を容易とすることができる。
【００３９】
図４は、本考案にかかる植栽袋１０の設置手順を示す説明図である。
（１）植栽袋１０を梱包した状態で輸送及び貯蔵される（図４（ａ）参照）。
植裁袋本体１１と中袋２０と培養土３０とが、栽培物Ｓの種類に合わせたセット状態で製造され、梱包されて提供される。
（２）植栽袋１０の梱包状態を解く（図４（ｂ）参照）。
栽培者（購入者）によって梱包状態が解かれる。
（３）培養土３０に水分を含有させる（図４（ｃ）参照）。
ジョウロやホースで培養土３０に水分を含有させる。
（４）培養土３０が膨張する（図４（ｄ）参照）。
必要に応じて木材粉末や木材チップ、腐葉土、肥料などが混合されて圧縮されたヤシ殻砕片を主とする培養土３０が、水分を含有することで膨張する（圧縮されていない培養土３０を使用した場合は、この手順は省略される。）。
（５）中袋２０の底部に水抜き穴２２を形成する（図４（ｅ）参照）。
栽培者（購入者）によって、千枚通しや釘などの先の尖った工具を使用して植裁袋本体１１の外側から栽培物Ｓの水やり量に合わせて適宜の数の水抜き穴２２が開けられる。
（６）支柱１３ならびに植裁袋支持受け皿４０を設置する（図４（ｆ）参照）。
植裁袋本体１１の開口縁部１１a内側の所定箇所に設けられた支柱通し開口帯１２に支柱１３を挿入し、培養土３０中に差し込む。
室内園芸の場合は植裁袋支持受け皿４０を設置し、室外園芸の場合はそのまま安置し、農耕地に直植えする場合は直接地中Ｇに埋める。
（７）育成栽培（図４（ｇ）参照）。
培養土３０中の栽培物Ｓの種や苗が生育し、茎や蔓が成長して支柱１３に絡んで成長する。
【実施例３】
【００４０】
本考案にかかる植裁袋１０において、培養土３０が、販売・移動時において圧縮された状態で密封梱包されると共に、育成栽培時において水分を含有させることで膨張して圧縮状態が戻される手段を採ることができる（図４（ａ）及び（ｄ）参照）。
【００４１】
以上の手段を採用した本考案にかかる植裁袋１０は、育成栽培時において培養土３０に水分を含有させて圧縮状態が戻されることで、販売・移動時における省スペース化ならびに輸送費のコストダウンが図られると共に、栽培時における培養土３０の確保ならびに養生が容易にできる。
【実施例４】
【００４２】
本考案にかかる植裁袋１０において、培養土３０に、木材粉末、木材チップ、腐葉土、肥料の中から選択される何れか一つが混合されている手段を採ることができる（図４（ｄ）参照）。
【００４３】
以上の手段を採用した本考案にかかる植裁袋１０は、培養土３０に、木材粉末、木材チップ、腐葉土、肥料の中から選択される何れか一つが混合されることで、栽培物Ｓの種類に応じた培養土３０が充填された植栽袋１０を選択すれば足り、土作り・養生作業が不要となる。
【産業上の利用可能性】
【００４４】
本考案にかかる植裁袋は、培養土が充填された状態で輸送及び貯蔵を可能とした上で、場所を取らずに且つ安定して設置でき、さらに栽培物の種類に応じた培養土が充填されたものを選択すれば足り、土作り・養生作業が不要であると共に、そのまま栽培容器として使用することができることから、本考案にかかる「植裁袋」の産業上の利用可能性は極めて大であるものと思料する。
【符号の説明】
【００４５】
１０    植裁袋
１１    植裁袋本体
１１ａ  開口縁部
１２    支柱通し開口帯
１３    支柱
１４    手提げ部
２０    中袋
２１    開口部
２２    水抜き穴
３０    培養土
４０    植裁袋支持受け皿
Ｓ    栽培物
Ｆ    床面
Ｇ    地中
【図１】
0003209804.tif 000003
【図２】
0003209804.tif 000004
【図３】
0003209804.tif 000005
【図４】
0003209804.tif 000006